(57)【要約】【課題】時計バンドに着脱が容易で、時計本体の正面とほぼ同じ方向に立たせて装着が可能であり且つ、安価で破損しにくく、その上環境に悪影響を与えないようにすること。【解決手段】タグ１００を弾力性のある単一の部材から成る四角形の板状部材で形成し、この板状部材に横方向と縦方向に伸びるスリット（２）、（３）を設け、スリット（３）により時計バンドを挟み込むように時計バンド側に差し込んで時計バンドがスリット（２）を貫通するように装着する。これにより、時計バンドに着脱が容易で、時計本体の正面とほぼ同じ方向に立たせて装着が可能であり且つ、安価で破損しにくく、その上環境に悪影響を与えないようにすることができる。【選択図】  図１
2004302326.tif 000002
【特許請求の範囲】
【請求項１】
時計バンドに着脱する表示札において、
前記表示札は四角形の板状部材で形成され、
この板状部材の中央横方向に設けられた第１のスリットと、
この第１のスリットの中央部に連結され、前記板状部材の底辺に達するように設けられた第２のスリットとを備えることを特徴とする表示札。
【請求項２】
前記板状部材は弾力性のある単一部材で構成されることを特徴とする請求項１に記載の表示札。
【請求項３】
前記第１のスリットと前記第２のスリットはＴ字型を形成するように配置されたことを特徴とする請求項１または２に記載の表示札。
【請求項４】
前記第１のスリットの前記第２のスリットとの交点で分けられる左、右側のスリット部分は、それぞれ前記第２のスリット側の方向に傾斜していることを特徴とする請求項１または２に記載の表示札。
【請求項５】
前記第１のスリットの前記第２のスリットとの交点で分けられる左、右側のスリット部分は、それぞれ前記第２のスリットと反対側の方向に傾斜していることを特徴とする請求項１または２に記載の表示札。
【請求項６】
前記第１のスリットは前記第２のスリット側方向に彎曲した形状であることを特徴とする請求項１または２に記載の表示札。
【請求項７】
前記第１のスリットは前記第２のスリットと反対側方向に彎曲した形状であることを特徴とする請求項１または２に記載の表示札。
【請求項８】
前記第１のスリットの両端部のそれぞれに連結して前記板状部材の底辺に向かう縦状の切れ込みを２箇所入れたことを特徴とする請求項１乃至７いずれかに記載の表示札。
【請求項９】
前記第１のスリットの両端部と前記縦状の切れ込みの連結点を直線上に結ぶ線を折り曲げて形成される折り曲げ部を設けたことを特徴とする請求項８に記載の表示札。
【発明の詳細な説明】
【０００１】
【発明の属する技術分野】
本発明は、時計バンドに装飾性の向上や情報提示のために装着する表示札（以下、タグと称する）に関する。
【０００２】
【従来の技術】
従来より、時計バンドには装飾性を高めたり、或いはカレンダー等の情報を記載したタグを取り付ける事が行われている（例えば特許文献１参照）。
【０００３】
このようなタグとして、使用者が時計バンドに容易に取りけることができるものとしては、例えば図１０（ａ）、（ｂ）に示すように、タグ１を図示の形状にアルミ材２と紙３をサンドイッチにした構造で作り、タグ１の（２０）の部分を図１１に示すように時計バンド５を両側から挟み込むように折り曲げて装着する。
【０００４】
また、図１２（ａ）に示すように、タグ１を紙６で図示の形状に作り、斜線（２１）の部分を図１２（ｂ）に示すように、紙６に接着剤８を塗布して、この接着剤８を剥離紙９で覆う構造とする。タグ１の（２０）の部分を図１３に示すように時計バンド５の両側から挟み込み、剥離紙９を取った後、反対側の（２０）の部分に斜線（２１）の部分を貼り付けて、タグ１を時計バンド５に装着する。
【０００５】
【特許文献１】
実用新案登録第３０８４２０１号
【０００６】
【発明が解決しようとする課題】
しかし、上記した図１０の従来例では、タグ１がアルミ材２と紙３の異材質の多層構造のため、ダグ１を廃棄した場合に環境に悪影響を与える恐れがある。また、タグ１を多層構造の特殊な材料で作成するため、コストが高いと共に、タグ１を時計バンド５に装着するのに多少とも工数がかかるという問題がある。
【０００７】
更に、図１２の従来例では、時計バンド５に簡単に装着できるが、タグ１が紙６で出来ているため張がなく、時計バンド５に対してタグ１を立たせて装着することが難しく、時計部１０の正面と異なる方向を向いてしまうため、タグ１が見にくくなってしまう。また、タグ１の一部を接着剤で貼り付けて時計バンド５に装着するため、取り外す時にタグが破れてしまい、再装着ができない。更に、タグ１が紙製のため梱包時、輸送時に折れたり、破れやすく、破損してしまう恐れがあった。
【０００８】
本発明は、上述の如き従来の課題を解決するためになされたもので、その目的は、時計バンドに着脱が容易で、時計本体の正面とほぼ同じ方向に立たせて装着が可能であり且つ、安価で破損しにくく、その上環境に優しい表示札を提供することにある。
【０００９】
【課題を解決するための手段】
この発明の手段は以下の通りである。
【００１０】
請求項１の発明は、時計バンドに着脱する表示札において、前記表示札は四角形の板状部材で形成され、この板状部材の中央横方向に設けられた第１のスリットと、この第１のスリットの中央部に連結され、前記板状部材の底辺に達するように設けられた第２のスリットとを備えることを特徴とする。
【００１１】
上記発明によれば、表示札の第２のスリットを時計バンドに挟み込むようにして時計バンド側に挿入し、時計バンドを第１のスリットに通した形で容易に表示札を時計バンドに容易に装着でき、また、時計バンドに装着された表示札を第２のスリットに近い部分を持って引き抜けば、表示札を容易に時計バンドから取り外すことができる。
【００１２】
請求項２の発明は、前記請求項１において、前記板状部材は弾力性のある単一部材で構成されることを特徴とする。
【００１３】
上記発明によれば、表示札を形成する板状部材は弾力性のある単一部材であるため、破損しにくく、また、時計バンドへの装着時に時計バンド面に対して表示札を立たせることができる。
【００１４】
請求項３の発明は、前記請求項１または２において、前記第１のスリットと前記第２のスリットはＴ字型を形成するように配置されたことを特徴とする。
【００１５】
上記発明によれば、第１のスリットと第２のスリットがＴ字型を形成するため、表示札を時計バンドの中央に容易に装着できると共に、時計バンドへの装着時に時計バンド面に対して時計の本体部の正面と同じ方向に配置することができ、または立たせることができる。
【００１６】
請求項４の発明は、前記請求項１または２において、前記第１のスリットの前記第２のスリットとの交点で分けられる左、右側のスリット部分は、それぞれ前記第２のスリット側の方向に傾斜していることを特徴とする。
【００１７】
上記発明によれば、表示札を時計バンドに装着した時、第１のスリットの斜面が時計バンドの両端部に当たり、表示札を安定して時計バンドに装着することができる。
【００１８】
請求項５の発明は、前記請求項１または２において、前記第１のスリットの前記第２のスリットとの交点で分けられる左、右側のスリット部分は、それぞれ前記第２のスリットと反対側の方向に傾斜していることを特徴とする。
【００１９】
上記発明によれば、第１のスリットの左、右側のスリット部分が第２のスリットと反対側方向に傾斜しているため、中央部に凹型形状や穴がある時計バンドにも表示札を安定して装着することができる。
【００２０】
請求項６の発明は、前記請求項１または２において、前記第１のスリットは前記第２のスリット側方向に彎曲した形状であることを特徴とする。
【００２１】
上記発明によれば、表示札を時計バンドに装着した時、第１のスリットのＲ形状が時計バンドの両端部に当たり、表示札を安定して時計バンドに装着することができる。
【００２２】
請求項７の発明は、前記請求項１または２において、前記第１のスリットは前記第２のスリットと反対側方向に彎曲した形状であることを特徴とする。
【００２３】
上記発明によれば、第１のスリットが第２のスリットと反対側方向に彎曲しているため、中央部に凹型形状や穴がある時計バンドにも表示札を安定して装着することができる。
【００２４】
請求項８の発明は、前記請求項１乃至７いずれかにおいて、前記第１のスリットの両端部のそれぞれに連結して前記板状部材の底辺に向かう縦状の切れ込みを２箇所入れたことを特徴とする。
【００２５】
上記発明によれば、第１のスリットの両端部に入れた２箇所の縦状の切れ込みにより、時計バンドの厚さに影響を受けずに表示札を容易に装着することができる。
【００２６】
請求項９の発明は、前記請求項８において、前記第１のスリットの両端部と前記縦状の切れ込みの連結点を直線上に結ぶ線を折り曲げて形成される折り曲げ部を設けたことを特徴とする。
【００２７】
上記発明によれば、時計バンドの厚さに応じて折り曲げ部の角度を変えることで、表示札の角度を一定に保つことができる。
【００２８】
【発明の実施の形態】
以下、本発明の実施の形態を図面に基づいて説明する。図１は、本発明の一実施の形態に係る表示札の構成を示した平面図である。
【００２９】
タグ１００は四隅に疵付き防止用のＲ（１）を取ったほぼ正方形状をした弾力性のあるシート素材で出来ており、横方向のスリット（２）と、縦方向のスリット（３）が設けられている。スリット（３）はタグ１００の下半分中央部に縦方向に伸び、このスリット（３）の上端はＲ（１）を形成する切り込みでスリット（２）と連結されている。このスリット（２）はスリット（３）の上部を囲むように弓状に彎曲して横方向に伸びている。更に、このスリット（２）の両端部はそれぞれ縦方向に伸びる切り込み（４）と連結している。
【００３０】
次に、本実施の形態のタグ１００を腕時計のバンドに装着する手順を説明する。まず、図２に示すように時計部１０に接続されている時計バンド５にタグ１００の底辺中央のスリット（３）から矢印の方向に差し込むことにより、図３に示すようにスリット（２）の部分を時計バンド５が貫通するように容易に装着することができる。この方法によりタグ１００は時計バンド５の斜面（５）の部分にも、斜面（６）の部分にも容易に装着することができる。
【００３１】
このタグ１００の時計バンド５への装着時、図４に示すように、タグ１００のスリット（２）の彎曲形状（または斜面（１２））が時計バンド５の両端部に当たり、タグ１００は安定して時計バンド５の中央部に装着される。
【００３２】
図５は時計バンド５に装着したタグ１００を側面から見た図であり、タグ１００の（７）ａ、（７）ｂ、（７）ｃの部分で時計バンド５を押さえており、特に（７）ｃ部分により、タグ１００を時計バンド５の彎曲した面に対して立たせることができる。このタグ１００の（７）ｃの部分は図８に示すようにスリット  （３）の両端を結ぶ線上でタグ１００の（１１）の部分を折り曲げることにより形成される。
【００３３】
また、タグ１００を図６（ａ）に示すように時計バンド５のフラットな面で立たせたい場合は図６（ｂ）に示した裏面の（８）の部分を交互にすることにより、立たせることができる。
【００３４】
更に、時計バンド５からタグ１００を取り外す時は図７に示すようにタグ１００の斜線部を矢印（９）の方向に引っ張ることにより、簡単に外すことができる。
【００３５】
本実施の形態によれば、弾力性のある素材で形成されたほぼ正方形状のタグ１００に横方向と縦方向のスリット（２）、（３）を設けて成る折り及び貼りのない挟み込み構造により、簡単に時計バンド５にタグ１００を取り付けることができると共に、取り外すことができ、また再装着も自在に行うことができる。
【００３６】
また、タグ１００を時計バンド５に取り付けた時にタグ１００の（７）ｃの部分により時計バンド５の彎曲面に対してタグ１００を立たせることができ、腕時計を手に付けた時にタグ１００を時計部１０の正面とほぼ同じ方向に位置させることができ、タグ１００に記載されている情報等を極めて容易に読み取ることができる。
【００３７】
更に、タグ１００は単一素材で構成されているため、調達が容易で構造が簡単のためタグ１００を安価にすることができ、また、タグ１００を廃棄した時等に環境に対して悪影響を与えることがないようにすることができる。
【００３８】
また、タグ１００は弾力性のある素材で出来ているため、梱包時や輸送時に折れにくく、破れにくいため、破損の心配がない。
【００３９】
更に、図８に示すように折り曲げ部（１１）を設けて、この折り曲げ部の角度を時計バンド５の厚みに応じて変えることにより、時計バンド５へのタグ１００への取付け時の角度を一定にすることができる。
【００４０】
なお、タグ１００のスリットの形状は、上記実施の形態で示した形状に限らず、図９に示したように各種の形状があり、要はタグ１００の中央付近に横方向に伸びる第１のスリットＡと、この第１のスリットＡの中央部に連結されて、タグ１００の底辺に達する縦方向の第２のスリットＢを有していればよい。
【００４１】
図９（ａ）はＴ型スリットを有することで、製品への着脱が容易、且つ簡単にタグを時計本体の正面とほぼ同じ方向、または立たせることが可能な構造である。
【００４２】
図９（ｂ）及び図９（ｃ）のように、第１のスリットＡの形状を中央からそれぞれ第２のスリットＢ側方向に傾斜させる、或いは第１のスリットＡを第２のスリットＢ側に彎曲させる形状にすることで、タグ１００の時計バンド取付け時に、図４に示すようにスリットの斜面またはＲ形状が時計バンドの両端部に当たり、タグ１００を安定してバンドの中央部に取り付けることができる。
【００４３】
また、時計バンドの形状、例えば中央部に凹形状や穴があるバンドに装着する場合には、図９（ｄ）及び図９（ｅ）のように、第１のスリットＡの形状を中央からそれぞれ第２のスリットＢの外側方向に傾斜させる、或いは第１のスリットＡを第２のスリットＢの外側方向に彎曲させる形状にすることで、容易に上記のような時計バンドにも装着できるようにすることができる。
【００４４】
更に、図９（ａ）のＴ型スリットの第１のスリットＡの両端部に縦方向の切れ込みを図１の（４）に示すように入れることで、時計バンドの厚さに影響なく  （特に厚さにより彎曲されることへの防止）装着可能な構造とすることもできる。
【００４５】
尚、本発明は上記実施の形態に限定されることなく、その要旨を逸脱しない範囲において、具体的な構成、機能、作用、効果において、他の種々の形態によっても実施することができる。
【００４６】
【発明の効果】
以上詳細に説明したように、請求項１、２、３に記載の発明の表示札によれば、弾力性のある単一の部材から成る四角形の板状部材に、第１、第２のスリットをＴ字型になるように設けることにより、時計バンドに着脱が容易にでき、時計本体の正面とほぼ同じ方向または時計バンド面に対して立たせて装着でき、且つ、安価で破損しにくくすることができ、その上破棄した場合に環境に悪影響を与えないようにすることができる。
請求項４に記載の発明の表示札によれば、第１のスリットの左、右側のスリット部分が第２のスリット側方向に傾斜しているため、表示札を時計バンドに装着した時、第１のスリットの斜面が時計バンドの両端部に当たり、表示札を安定して時計バンドに装着することができる。
請求項５に記載の発明の表示札によれば、第１のスリットの左、右側のスリット部分が第２のスリットと反対側方向に傾斜しているため、中央部に凹型形状や穴がある時計バンドにも表示札を安定して装着することができる。
請求項６に記載の発明の表示札によれば、第１のスリットが第２のスリット側方向に彎曲しているため、表示札を時計バンドに装着した時、第１のスリットのＲ形状が時計バンドの両端部に当たり、表示札を安定して時計バンドに装着することができる。
請求項７に記載の発明の表示札によれば、第１のスリットが第２のスリットと反対側方向に彎曲しているため、中央部に凹型形状や穴がある時計バンドにも表示札を安定して装着することができる。
請求項８に記載の発明の表示札によれば、第１のスリットの両端部に入れた縦状の切れ込みにより、時計バンドの厚さに影響を受けずに表示札を容易に装着することができる。
請求項９に記載の発明の表示札によれば、板状部材に折り曲げ部を設けることにより、時計バンドの厚さに応じてこの折り曲げ部の角度を変えることで、表示札の角度を一定に保つことができる。
【図面の簡単な説明】
【図１】本発明の一実施の形態に係る表示札の構成を示した平面図である。
【図２】本実施の形態のタグを時計バンドに取り付ける動作を示した説明図である。
【図３】本実施の形態のタグを時計バンドに取り付けた状態を示した斜視図である。
【図４】本実施の形態のタグを時計バンドに取り付けた時のスリットと時計バンドとの関係を示した図である。
【図５】本実施の形態のタグを時計バンドに取り付けた時のタグの側面を示した側面図である。
【図６】本実施の形態のタグをフラットな時計バンドに取り付ける動作を示した説明図である。
【図７】本実施の形態のタグを時計バンドから取り外す動作を示した斜視図である。
【図８】本実施の形態のタグに設ける折り曲げ部を示した図である。
【図９】本発明のタグの他の実施の形態を示した説明図である。
【図１０】従来のタグの構成を示した図である。
【図１１】図１０に示したタグの時計バンドへの取り付け動作を示した説明図である。
【図１２】従来のタグの他の構成を示した図である。
【図１３】図１２に示したタグの時計バンドへの取り付け動作を示した説明図である。
【符号の説明】
５  時計バンド
１０  時計部
１００  タグ
（１）  Ｒ
（２）、（３）、Ａ、Ｂ  スリット
（４）  切り込み
（１１）  折り曲げ部
【図１】
2004302326.tif 000003
【図２】
2004302326.tif 000004
【図３】
2004302326.tif 000005
【図４】
2004302326.tif 000006
【図５】
2004302326.tif 000007
【図６】
2004302326.tif 000008
【図７】
2004302326.tif 000009
【図８】
2004302326.tif 000010
【図９】
2004302326.tif 000011
【図１０】
2004302326.tif 000012
【図１１】
2004302326.tif 000013
【図１２】
2004302326.tif 000014
【図１３】
2004302326.tif 000015